(57)【要約】【課題】筆記に際して空気の循環およびインキの流出が円滑に行われる直液式筆記具の提供。【解決手段】内部にインキが貯溜されるインキ貯溜容器と、前記インキ貯溜容器の一端部に組み込まれ、先端側が外部に露出されるように設けられるペン先と、前記インキ貯溜容器のペン先側の内部に位置し、ペン先の後端側が埋設されてインキを吸蔵するインキ吸蔵体と、多孔質物質を用いて形成し、通気性を有すると共に、前記インキ吸蔵体の後方側に連設される多孔体と、前記インキ貯溜容器の内部を、前記インキが貯溜されるインキ貯溜部側と、前記インキ吸蔵体および多孔体が位置するインキ吸収部側とに区画する区画部材と、前記インキ貯溜部側と多孔体の後端側とを連通させる空気流動路を有するように設けられる空気パイプと、前記インキ貯溜部の先端側とインキ吸蔵体の内部とを連通させるインキ流動路を有するように設けられるインキパイプと、を備える直液式筆記具。【選択図】図１
2011126290.tif 000002
【特許請求の範囲】
【請求項１】
内部にインキが貯溜されるインキ貯溜容器と、
前記インキ貯溜容器の一端部に組み込まれ、先端側が外部に露出されるように設けられるペン先と、
前記インキ貯溜容器のペン先側の内部に位置し、ペン先の後端側が埋設されてインキを吸蔵するインキ吸蔵体と、
多孔質物質を用いて形成し、通気性を有すると共に、前記インキ吸蔵体の後方側に連設される多孔体と、
前記インキ貯溜容器の内部を、前記インキが貯溜されるインキ貯溜部側と、前記インキ吸蔵体および多孔体が位置するインキ吸収部側とに区画する区画部材と、
前記インキ貯溜部側と多孔体の後端側とを連通させる空気流動路を有するように設けられる空気パイプと、
前記インキ貯溜部の先端側とインキ吸蔵体の内部とを連通させるインキ流動路を有するように設けられるインキパイプと、
を備える直液式筆記具。
【請求項２】
前記インキ貯溜部側に位置する空気パイプの長さは、インキ貯溜部全長の５０％以上である請求項１に記載の直液式筆記具。
【請求項３】
前記空気パイプは、入口を前記区画部材と同じ位置に形成し、出口を前記インキ貯溜部の後方側に形成してなる請求項１又は２に記載の直液式筆記具。
【請求項４】
前記インキパイプは、入口を前記区画部材と同じ位置に形成し、出口を前記インキ吸蔵体の内部に形成してなる請求項１又は２に記載の直液式筆記具。
【請求項５】
前記インキ吸蔵体は、前記多孔体よりも高密度の多孔質物質を用いて形成する請求項１に記載の直液式筆記具。
【請求項６】
前記区画部材は板状体であり、
前記空気パイプ及びインキパイプは互いに一定の間隔をおいて位置し、前記区画部材に一体に設けられる請求項１又は２に記載の直液式筆記具。
【発明の詳細な説明】
【技術分野】
【０００１】
本発明は直液式筆記具に係り、さらに詳しくは、筆記に際して空気流動路を介して空気の供給が円滑に行われることから、貯溜されたインキの流出が円滑に行われるように構成した直液式筆記具に関する。
【背景技術】
【０００２】
一般に、直液式筆記具は、ボールペンなどに比べて、低粘性のインキが使用可能であり、インキの補液が可能である他、その構造が簡単であるなどのメリットがある。
【０００３】
前記直液式筆記具の一種としては、水性インキを用いたフェルトペン（以下、サインペンと称する。）などが挙げられるが、サインペンの場合、インキをインキ吸蔵体などに吸収して貯溜する構造であるため、貯溜されるインキの量が少量であることに起因して使い勝手が悪く、この理由から、最近には、インキ貯溜容器の内部に直接的にインキを受容させた構造の直液式筆記具が多用されている。
【０００４】
前記直液式筆記具は、内部にインキが貯溜されるインキ貯溜容器と、前記インキ貯溜容器の一端部に組み込まれ、先端側が外部に露出されるように設けられるペン先と、前記インキ貯溜容器のペン先側の内部に位置し、ペン先の後端側が埋設されてインキを吸蔵するインキ吸蔵体と、前記インキ貯溜容器の内部を、前記インキが貯溜されるインキ貯溜部側と、前記インキ吸蔵体が位置するインキ吸収部側とに区画する区画部材と、を備える。
【０００５】
このように構成される直液式筆記具は、筆記に際してインキ貯溜部と外部との間の空気の循環がスムーズに行われる必要があるにも拘わらず、空気の循環がスムーズに行われないという問題点があり、このような問題点を克服するための努力が試みられているが、未だ大きな成果を果たせずにいるのが現状である。
【０００６】
上記の問題点を解消するために、吸液材が位置する空間とインキ収納室とを連通させるように給気管を設け、吸液材を２段に設けたサインペンに関する技術が提案されている（例えば、下記の特許文献１参照）が、給気管の入口が吸液材と吸液材との間に位置することにより、インキが２段目に位置している吸液材まで吸収される場合や、給気管の入口の周りにインキが存在する場合などには給気管への空気の流入が円滑に行われることが困難であるという問題点がある。
【０００７】
また、例えば、下記の特許文献２に記載の筆記具は、インキ貯溜タンクと吸蔵体とが単一のインキ流出管により連通されるため、インキ流出管の介したインキの流出と空気の移動が同時に且つ円滑に行われることが困難である。
【０００８】
さらに、インキ吸蔵体側に２本の連通管が設けられて速かに空気の吸入およびインキの流出が行える直液式筆記具に関する技術が提案されているが（例えば、下記の特許文献３参照）、インキ吸蔵体に吸蔵されたインキおよびインキタンク内部のインキが連通管の端部をそれぞれ閉塞している状態になり易いため、実質的には空気の循環が円滑に行われることが困難であるという問題点がある。
【０００９】
加えて、ペン先の周りを除く残りの部分が低密度を有するように構成されるインキ吸蔵体が設けられ、低密度の部分とインキ貯溜容器の空き空間とを空気流動口により連通させるように構成される直液式筆記具が提案されているが（例えば、下記の特許文献４参照）、空気流動管の一端部がインキ吸蔵体の内部側に埋め込まれるように突設されることに起因して、膨張空気が発生するなどインキ吸蔵体の低密度部分までインキが満たされる場合、空気流動管の一端部に目詰まりが生じて膨張空気の排出が円滑に行われないという問題点がある。
【先行技術文献】
【特許文献】
【００１０】
【特許文献１】実公昭５６−００７５０４号公報
【特許文献２】韓国公開特許第２００５−０１１８８０３号公報
【特許文献３】特開２００６−２４０２８１号公報
【特許文献４】韓国公開特許第２００９−００５２９８２号公報
【発明の概要】
【発明が解決しようとする課題】
【００１１】
本発明は上述した問題点に着目してなされたものであり、インキパイプの出口はインキ吸蔵体の内部に位置し、空気パイプの入口は多孔体の後端側に位置して、空気パイプの入口の周りまでインキが満たされることを防ぐことから、空気の循環およびインキの流出が円滑に行える直液式筆記具を提供するところにその目的がある。
【課題を解決するための手段】
【００１２】
上記の目的を達成するために、本発明に係る直液式筆記具は、内部にインキが貯溜されるインキ貯溜容器と、前記インキ貯溜容器の一端部に組み込まれ、先端側が外部に露出されるように設けられるペン先と、前記インキ貯溜容器のペン先側の内部に位置し、ペン先の後端側が埋設されてインキを吸蔵するインキ吸蔵体と、多孔質物質を用いて形成し、通気性を有すると共に、前記インキ吸蔵体の後方側に連設される多孔体と、前記インキ貯溜容器の内部を、前記インキが貯溜されるインキ貯溜部側と、前記インキ吸蔵体および多孔体が位置するインキ吸収部側とに区画する区画部材と、前記インキ貯溜部側と多孔体の後端側とを連通させる空気流動路を有するように設けられる空気パイプと、前記インキ貯溜部の先端側とインキ吸蔵体の内部とを連通させるインキ流動路を有するように設けられるインキパイプと、を備える。
【００１３】
本発明に係る直液式筆記具において、前記インキ吸蔵体は、前記多孔体よりも高密度の多孔質物質を用いて形成する。
【００１４】
本発明に係る直液式筆記具において、前記インキ貯溜部側に位置する空気パイプの長さは、インキ貯溜部全長の５０％以上である。
【００１５】
本発明に係る直液式筆記具において、前記空気パイプは、入口が前記区画部材と同じ位置に形成され、出口が前記インキ貯溜部の後方側に形成される。
【００１６】
本発明に係る直液式筆記具において、前記インキパイプは、入口が前記区画部材と同じ位置に形成され、出口が前記インキ吸蔵体の内部に形成される。
【発明の効果】
【００１７】
本発明に係る直液式筆記具によれば、空気パイプの入口が多孔体の位置する空間であるインキ吸収部の後端側に位置することにより、多孔体の一部にインキが吸収される場合でも空気パイプの入口がインキにより閉塞されることが防がれる結果、筆記に際して空気パイプを介してインキ貯溜部の後端側への空気の供給が円滑に行われると共に、インキパイプを介したインキの流出が円滑に行われる。
【００１８】
また、本発明に係る直液式筆記具によれば、インキ流出パイプの出口がインキ吸蔵体の内部に位置することにより、流出するインキが多孔体側に吸収されるといった現象を極力抑えることができ、しかも、インキ吸蔵体を介してペン先にインキを円滑に供給することができる。
【図面の簡単な説明】
【００１９】
【図１】本発明に係る直液式筆記具の一実施の形態を示す断面図である。
【図２】本発明に係る直液式筆記具の一実施の形態を示す分解斜視図である。
【図３】本発明に係る直液式筆記具の一実施の形態を示す部分拡大断面図である。
【図４】図３のＡ−Ａ線矢視図である。
【図５】本発明に係る直液式筆記具の他の実施の形態を示す拡大断面図である。
【図６】図５のＢ−Ｂ線矢視図である。
【発明を実施するための形態】
【００２０】
以下、図面に基づき、本発明に係る直液式筆記具の好適な実施の形態を詳述する。
【００２１】
まず、本発明の一実施の形態による直液式筆記具は、図１から図３に示すように、インキ貯溜容器１０と、前記インキ貯溜容器１０の先端側に設けられるペン先２０と、インキ１を吸蔵するインキ吸蔵体３０と、前記インキ吸蔵体３０に連設される多孔体４０と、前記インキ貯溜容器１０の内部を二つの部分に区画する区画部材５０と、空気パイプ５１およびインキパイプ５４と、前記インキ貯溜容器１０に組み付けられるキャップ６０と、を備える。
【００２２】
前記インキ貯溜容器１０は、一方の面が開口された筒状を呈する第１胴部１１と、筒状を呈し、前記第１胴部１１の開口側の外周面に組み付けられると共に、前記ペン先２０の先端側が外部に露出される状態で設けられる第２胴部１４と、を備える。
【００２３】
前記第１胴部１１は、内部にインキ貯溜部２が配備され、外面には前記第２胴部１４の後端角部が引っ掛かる一つの係止部１２および複数の組立突起１３が外周に沿って突設される。
【００２４】
前記第２胴部１４は、内部にインキ吸収部４が配備され、内面には前記組立突起１３が組み付けられる複数の組立溝１５が凹設され、前記ペン先２０が組み付けられる側には尖った先軸部１６が形成される。
【００２５】
前記インキ貯溜容器１０の第２胴部１４には、前記ペン先２０の長手方向の中央部を保持し、前記インキ吸蔵体３０および多孔体４０が組み付けられる筒状の保持部材１８が組み込まれても構わない。
【００２６】
前記保持部材１８におけるペン先２０を保持する前方部には、図３および図４に示すように、内周に沿って一定の間隔をおいて複数の間隔維持突起１８ａが縦長に形成されても構わない。
【００２７】
これらの間隔維持突起１８ａが形成されることにより、前記保持部材１８の内周面とペン先２０との間に空気移動空間１８ｂが形成され、その結果、空気が循環可能となる。
【００２８】
また、前記保持部材１８における、インキ吸蔵体３０が組み付けられる後方部にも、図５および図６に示すように、内周に沿って一定の間隔をおいて複数の間隔維持突起１８ｃが縦長に形成されても構わない。
【００２９】
前記間隔維持突起１８ｃは、前記多孔体４０が位置する個所まで長く形成されてもよい。
【００３０】
前記間隔維持突起１８ｃが形成されることにより、前記保持部材１８の内周面とインキ吸蔵体３０との間に空気移動空間１８ｄが形成され、その結果、空気が循環可能となる。
【００３１】
前記第１胴部１１および第２胴部１４は、図示はしないが、射出成形などにより一体に形成してもよい。
【００３２】
このように第１胴部１１および第２胴部１４を一体に形成する場合には、インキ貯溜容器１０の後端側の端面を開口させ、該開口端面にキャップを取り付けてもよい。
【００３３】
前記ペン先２０は、一般に、ボード用マーカーペンやサインペンなどに幅広く用いられるペン先と同様に、多孔性物質（例えば、圧縮繊維、圧縮綿、フェルト、スポンジ、発泡樹脂、発泡ゴムなど）を用いて形成される。
【００３４】
前記インキ吸蔵体３０は、前記インキ貯溜容器１０のペン先２０側の内部に位置し、前記ペン先２０の後端側が埋め込まれる。
【００３５】
前記インキ吸蔵体３０も、前記ペン先２０と同様に、多孔性物質を用いて形成してもよい。
【００３６】
前記インキ吸蔵体３０の外部は合成樹脂に包まれていてもよい。
【００３７】
前記多孔体４０は、多孔質物質を用いて形成し、通気性を有すると共に、前記インキ吸蔵体３０の後方に連設される。
【００３８】
前記インキ吸蔵体３０は、前記多孔体４０よりも高密度の多孔質物質を用いて形成する。
【００３９】
前記インキ吸蔵体３０は、前記多孔体４０よりも約１．２倍以上高密度に形成される。
【００４０】
前記多孔体４０の材質としては、スポンジ、スポンジゴム、ウールなどが使用可能である。
【００４１】
前記区画部材５０は略円板状を呈し、前記インキ貯溜容器１０の内部を、前記インキが貯溜されるインキ貯溜部２側と、前記インキ吸蔵体３０および多孔体４０が位置するインキ吸収部４側と、に区画する。
【００４２】
前記区画部材５０は、前記インキ貯溜容器１０の第１胴部１１と保持部材１８との間に配設されてもよい。
【００４３】
前記空気パイプ５１は前記区画部材５０に一体に設けられ、前記インキ貯溜部２側と多孔体４０の後端側とを連通させる空気流動路５２を有する。
【００４４】
前記空気パイプ５１は、入口５１ａが前記区画部材５０と同じ位置に形成され、出口５１ｂが前記インキ貯溜部５１ｂの後方側に形成されても構わない。
【００４５】
前記インキ貯溜部２側に位置する空気パイプ５１の長さＬ１は、インキ貯溜部２の長さＬ２の約５０％以上であり、好ましくは、約７０〜９５％である。
【００４６】
前記インキパイプ５４は、前記空気パイプ５１と一定の間隔をおいて位置し、前記区画部材５０に一体に設けられると共に、前記インキ貯溜部２の先端側とインキ吸蔵体３０の内部とを連通させるインキ流動路５５を有する。
【００４７】
前記インキパイプ５４は、入口５４ａが前記区画部材５０と同じ位置に形成され、出口５４ｂが前記インキ吸蔵体３０の中央側に形成されても構わない。
【００４８】
前記インキパイプ５４は、前記インキ吸蔵体３０の全長のうちの約５０％以上、好ましくは、約５０〜８０％の長さがインキ吸蔵体３０に埋め込まれる。
【００４９】
前記キャップ６０は、前記インキ貯溜容器１０のペン先２０が位置する先端側の外周面に組み付けられて、前記ペン先２０が外部空気と接触しないように密閉する。
【００５０】
以上、本発明に係る直液式筆記具の好適な実施の形態について説明したが、本発明はこれに限定されるものではなく、特許請求の範囲および発明の詳細な説明、添付図面の範囲内において種々に変形して実施することができ、これらの変形も本発明の範囲内に属する。
【符号の説明】
【００５１】
１：インキ、
２：インキ貯溜部、
４：インキ吸収部、
１０：インキ貯溜容器、
１１：第１胴部、
１４：第２胴部、
１５：組立溝、
１８：保持部材、
２０：ペン先、
３０：インキ吸蔵体、
４０：多孔体、
５０：区画部材、
５１：空気パイプ、
５２：空気流動路、
５４：インキパイプ、
５５：インキ流動路、
【図１】
2011126290.tif 000003
【図２】
2011126290.tif 000004
【図３】
2011126290.tif 000005
【図４】
2011126290.tif 000006
【図５】
2011126290.tif 000007
【図６】
2011126290.tif 000008